【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
ねじ状のロータ部と前記ロータ部の軸方向の両側端部にそれぞれ配置されたシャフト部とを有するスクリューロータと、
前記シャフト部が挿通される軸孔を有し、前記スクリューロータを収容するケーシングと、
吐出側のシャフト部と吐出側の軸孔との間隙から作動流体が漏洩することを封止する吐出側軸封部とを備え、
前記吐出側軸封部は、
前記吐出側のシャフト部における前記吐出側の軸孔に対向する外周部に設けられた環状溝部と、
前記環状溝部内において前記吐出側のシャフト部の軸方向に移動可能に配置され、前記吐出側の軸孔の内壁面及び前記環状溝部の側壁面に摺動接触可能なシールリングと、
前記ケーシングの外部と前記吐出側の軸孔とを連通させるように前記ケーシングに設けられ、前記シールリングの軸方向いずれか一方側に流体を供給する軸封流体供給路とを有し、
前記軸封流体供給路を介して前記シールリングの軸方向いずれか一方側に供給される流体の圧力は、前記シールリングの軸方向他方側に作用する圧力よりも高くなるように設定されている
ことを特徴とするスクリュー圧縮機。
【請求項２】
請求項１に記載のスクリュー圧縮機において、
前記軸封流体供給路の軸孔側の開口部は、前記シールリングよりも前記吐出側のシャフト部の先端側に位置し、
前記軸封流体供給路を介して供給される流体の圧力は、前記間隙に流入する作動流体の圧力よりも高くなるように設定されている
ことを特徴とするスクリュー圧縮機。
【請求項３】
請求項２に記載のスクリュー圧縮機において、
前記ロータ部の吐出側端面が前記環状溝部の側壁面の一方を構成する
ことを特徴とするスクリュー圧縮機。
【請求項４】
請求項１に記載のスクリュー圧縮機において、
前記軸封流体供給路の軸孔側の開口部は、前記シールリングよりも前記吐出側のシャフト部の基端側に位置する
ことを特徴とするスクリュー圧縮機。
【請求項５】
請求項４に記載のスクリュー圧縮機において、
前記吐出側軸封部は、前記吐出側の軸孔に連通するように前記ケーシングに設けられた軸封流体回収路を更に有し、
前記軸封流体回収路の軸孔側の開口部は、前記軸封流体供給路の軸孔側の開口部よりも前記吐出側のシャフト部の基端側に位置する
ことを特徴とするスクリュー圧縮機。
【請求項６】
請求項１乃至５のいずれか１項に記載のスクリュー圧縮機において、
前記環状溝部を画成する側壁面のうち、前記軸封流体供給路に近い側の側壁面は、その溝開口側の部分が底面側の部分に対して前記軸封流体供給路の側に位置し、その溝開口側の部分が前記吐出側の軸孔の内壁面と共に前記流体を貯留可能な流体貯留部を形成する
ことを特徴とするスクリュー圧縮機。
【請求項７】
請求項６に記載のスクリュー圧縮機において、
前記環状溝部を画成する側壁面のうち、前記軸封流体供給路に近い側の前記側壁面は、その溝開口側の部分の最内径が前記シールリングの内径よりも大きくなるように設定されている
ことを特徴とするスクリュー圧縮機。
【請求項８】
請求項６に記載のスクリュー圧縮機において、
前記軸封流体供給路は、前記流体貯留部に開口する
ことを特徴とするスクリュー圧縮機。
【請求項９】
請求項６に記載のスクリュー圧縮機において、
前記環状溝部を画成する側壁面のうち、前記軸封流体供給路に近い側の前記側壁面は、その溝開口側の部分が底面側の部分に対して前記軸封流体供給路の側に傾斜する傾斜面である
ことを特徴とするスクリュー圧縮機。
【請求項１０】
請求項２又は３に記載のスクリュー圧縮機において、
前記軸封流体供給路には、前記スクリューロータを回転自在に支持する吐出側軸受に供給する潤滑油が供給される
ことを特徴とするスクリュー圧縮機。
【手続補正２】
【補正対象書類名】明細書
【補正対象項目名】０００２
【補正方法】変更
【補正の内容】
【０００２】
圧縮機やポンプ等では、ロータの軸部とケーシングの軸孔との間隙を介して作動流体が漏洩する。作動流体の漏洩量が多いほど効率が低下するので、当該間隙を封止する必要がある。軸封の手段としては、メカニカルシールやオイルシールを用いる方法等の他に、シールリングを用いる方法がある。
【手続補正３】
【補正対象書類名】明細書
【補正対象項目名】００３２
【補正方法】変更
【補正の内容】
【００３２】
次に、第１の実施の形態によるスクリュー圧縮機の吐出側軸封部の作用を従来のスクリュー圧縮機の軸封部と比較して図２、図３、及び図５を用いて説明する。図５は、第１の実施の形態の比較例としての従来のスクリュー圧縮機の軸封部を示す説明図である。なお、図５において、図１〜図４に示す符号と同符号のものは、同様な部分であるので、その詳細な説明は省略する。
【手続補正４】
【補正対象書類名】明細書
【補正対象項目名】００６０
【補正方法】変更
【補正の内容】
【００６０】
上述したように、第１の実施の形態の第２変形例によれば、第１の実施の形態と同様の効果に加えて、更に以下の効果を得ることができる。本実施の形態によれば、ロータ部２１の吐出側端面２１ｂがシールリング７２と摺動接触する環状溝部７１の側壁面を構成するので、シールリング７２の偏摩耗を防ぎ、シールリング７２の長寿命化を図ることができる。
【手続補正５】
【補正対象書類名】明細書
【補正対象項目名】００６５
【補正方法】変更
【補正の内容】
【００６５】
具体的には、軸封流体供給路７３は、吐出側ケーシング４２の外部と吐出側軸孔５３ａとを連通させるように吐出側ケーシング４２に設けられている。軸封流体供給路７３の吐出側軸孔５３ａ側の開口部７３ａは、シールリング７２よりも吐出側のシャフト部２３の基端側（図９及び図１０では左側）に位置するように設けられている。軸封流体供給路７３は、シールリング７２における軸方向のシャフト部２３の基端側（第１の側面９３側）に流体を供給するものである。軸封流体供給路７３を介してシールリング７２の第１の側面９３側に供給される流体の圧力（Ｐoil2）は、シールリング７２における軸方向のシャフト部２３の先端側（第２の側面９４側）に作用する圧力、すなわち吐出側軸受給油路６３を介して吐出側軸孔間隙Ｇ２に供給される吐出側軸受７、８用の潤滑油の圧力（Ｐoil1）、よりも高くなるように設定されている。
【手続補正６】
【補正対象書類名】明細書
【補正対象項目名】００７２
【補正方法】変更
【補正の内容】
【００７２】
また、本実施の形態によれば、軸封流体供給路７３の開口部７３ａをシールリング７２よりも吐出側のシャフト部２３の基端側に設けたので、シールリング７２の第１の側面９３側（ロータ部２１側）が、軸封流体供給路７３を介して供給された相対的に高圧の潤滑油（流体）の圧力及び吐出側軸孔間隙Ｇ２に漏洩する空気（作動流体）の圧力を受ける。このため、スクリュー圧縮機１の始動時や定格時においても、シールリング７２の第２の側面９４が常に環状溝部７１に摺動接触する。つまり、環状溝部７１と摺動接触するシールリング７２の側面９４がスクリュー圧縮機１Ｃの運転条件によって変わらないので、シールリング７２の摩耗による寿命の予測が容易である。
【手続補正７】
【補正対象書類名】明細書
【補正対象項目名】００８１
【補正方法】変更
【補正の内容】
【００８１】
１、１Ａ、１Ｂ、１Ｃ…スクリュー圧縮機、  ２…雄ロータ（スクリューロータ）、  ３…雌ロータ（スクリューロータ）、  ４…ケーシング、  ７、８…吐出側軸受、  ２１、３１…ロータ部、  ２１ａ、３１a…ローブ、  ２１ｂ、３１ｂ…吐出側端面、  ２２…吸込側のシャフト部、  ２３、３３…吐出側のシャフト部、  ４９ａ…吸込側軸孔（軸孔）、  ５３ａ…吐出側軸孔（吐出側の軸孔）、  ７１、７１Ａ、７１Ｂ…環状溝部、  ７７…第１の側壁面、  ７８、７８Ａ…第２の側壁面、  ７２…シールリング、  ６３、６３Ａ…吐出側軸受給油路（軸封流体供給路）、  ６３ａ、６３ｂ…開口部、  ７３…軸封流体供給路、  ７３ａ…開口部、  ７４…軸封流体回収路、  ７４ａ…開口部、  ８０…垂直面、  ８１…傾斜面、８１Ｄ…貯留部形成面、  Ｇ２…吐出側軸孔間隙（吐出側のシャフト部と吐出側の軸孔との間隙）、  Ｆｓ…流体貯留部